(57)【特許請求の範囲】
【請求項１】
上方及び先端縁が開口した略コ字状に形成され、扉に配設される錠箱に対しスライド移動自在に設けられ、回転操作されるシリンダ錠又はサムターンにより、前記錠箱のフロント板より進退するデッドボルトと、
前記フロント板に対向する扉枠に設けられ、前記デッドボルトが進入する受穴を有したストライクと、
長手方向が前記扉の上下方向となるように前記扉に内設されるとともに、基部が前記錠箱に挿入されて前記デッドボルトの傾斜溝に連結され、回転操作されるシリンダ錠又はサムターンにより、前記デッドボルトの進退と共に先端が前記扉の上端面又は下端面から進退されるロッドと、
前記デッドボルトの先端部分の中空部分に位置されて連結ピンにて連結され前記デッドボルトの進退に従動して揺動自在に支持軸を介して前記錠箱に設けられ、前記デッドボルトの突出に伴って揺動して鉤状先端部が突出し、該鉤状先端部が前記受穴を貫通し前記受穴の周囲における裏側面に掛止するカマデッドと、
前記ストライクに回転自在となって基端が設けられ、該基端に対し先端側が伸縮自在とされて該先端に環状先端部を備えたガードアームと、
前記デッドボルトに並設され該デッドボルトと略平行に進退自在に前記錠箱に設けられ、前記シリンダ錠又はサムターンの操作により前記錠箱より進出した際に、前記ガードアームの環状先端部に掛かるガードボルトと、
を具備するとともに、
前記シリンダ錠又はサムターンに連結されて前記錠箱内にて回動自在とされ、回転中心から半径方向外側に突出するバネ摺接部とガードボルト係合部とデッドボルト係合部とを有した軸部を具備し、
該軸部は、前記バネ摺接部によって、３つの位置に回転位置を停止され、前記ガードボルト係合部とデッドボルト係合部の各回転位置を３つのポジションａ，ｂ，ｃとし、
ポジションａの解錠状態では、前記デッドボルト係合部が前記デッドボルトの突出を規制するとともに、前記ガードボルト係合部が前記ガードボルトの突出を規制し、
ポジションｂのガード状態では、前記ガードボルト係合部が前記ガードボルトのみを突出させ、前記ガードアームの環状先端部へ進入させ係合させて、前記扉の開放角度を規制し、
ポジションｃの施錠状態では、前記デッドボルト係合部が前記デッドボルトを進出させ、該デッドボルトを前記ストライクの受穴に進入させるとともに、前記カマデッドを揺動して突出させ、前記受穴の周囲における裏側面に掛止させ、同時に前記ガードボルト係合部が前記ロッドの基部を押圧し、該ロッドを進出させて前記扉枠に係止して本締とすることを特徴とする施錠装置。
【請求項２】
前記ロッドが、
本体と、前記基部との別体で形成され、
該本体と該基部とは、軸線回りの所定の相対回転角度で軸線方向の離反が規制される係合手段により連結され、
該係合手段を介して連結された前記本体の軸線回りの回転を規制する回転規制部材が前記扉に着脱自在に設けられたことを特徴とする請求項１記載の施錠装置。
【発明の詳細な説明】
【０００１】
【発明の属する技術分野】
本発明は、本締錠としてのデッドボルトを錠箱に備えた施錠装置に関するものである。
【０００２】
【従来の技術】
従来、扉に用いられる施錠装置は、単にデッドボルトで施錠を行うものが一般的であった。
すなわち、扉の吊り元側と反対の側部には錠箱が内蔵され、錠箱からは扉の表面にシリンダ錠、裏面にサムターンが露出される。錠箱にはデッドボルトが内蔵され、デッドボルトはシリンダ錠又はサムターンのいずれか一方の回転で扉の端面から水平に突出するようになっている。一方、扉枠には錠箱と対向する位置にストライクが設けられ、ストライクは扉の端面から突出したデッドボルトを受け入れるようになっている。
【０００３】
従って、このような従来の施錠装置では、扉の閉鎖状態で、シリンダ錠又はサムターンが回転されると、デッドボルトが扉の端面から突出し、ストライクの受穴へ進入する。これにより、デッドボルトと受穴とが係合し、扉枠に対する扉の開動が阻止され、扉を施錠状態にすることができた。
【０００４】
【発明が解決しようとする課題】
しかしながら、上述した単にデッドボルトのみで施錠を行う従来の施錠装置は、デッドボルトが扉の端面から水平に突出して、扉枠に設けられたストライクの受穴へ進入するため、扉の端面と、扉枠との間隙にバール等を差し入れ、ストライクとデッドボルトが離反する方向となる破壊が行われると、デッドボルトと受穴との係合が解除され、不正解錠される虞れがあった。
また、別体の補助錠を扉に設ければ、施錠操作が煩雑になるとともに、コストの増大する問題があった。
【０００５】
本発明は上記状況に鑑みてなされたもので、別体の補助錠を必要とせずに簡単かつ安価な構造で、高い施錠信頼性が得られる施錠装置を提供し、防犯性の向上を図ることを目的とする。
【０００６】
【課題を解決するための手段】
次に、上記の課題を解決するための手段を、実施の形態に対応する図面を参照して説明する。
この発明の請求項１に係る施錠装置１は、上方及び先端縁が開口した略コ字状に形成され、扉７５に配設される錠箱９に対しスライド移動自在に設けられ、回転操作されるシリンダ錠又はサムターンにより、前記錠箱９のフロント板１１より進退するデッドボルト３５と、
前記フロント板１１に対向する扉枠に設けられ、前記デッドボルト３５が進入する受穴４５を有したストライク４と、
長手方向が前記扉７５の上下方向となるように前記扉７５に内設されるとともに、基部５３が前記錠箱９に挿入されて前記デッドボルト３５の傾斜溝３５ｄに連結され、回転操作されるシリンダ錠又はサムターンにより、前記デッドボルト３５の進退と共に先端（ロック杆７３）が前記扉７５の上端面又は下端面から進退されるロッド７と、
前記デッドボルト３５の先端部分の中空部分に位置されて連結ピン５１にて連結され前記デッドボルト３５の進退に従動して揺動自在に支持軸４９を介して前記錠箱９に設けられ、前記デッドボルト３５の突出に伴って揺動して鉤状先端部４７ｂが突出し、該鉤状先端部４７ｂが前記受穴４５を貫通し前記受穴４５の周囲における裏側面に掛止するカマデッド４７と、
前記ストライク４に回転自在となって基端が設けられ、該基端に対し先端側が伸縮自在とされて該先端に環状先端部６ａを備えたガードアーム６と、
前記デッドボルト３５に並設され該デッドボルト３５と略平行に進退自在に前記錠箱９に設けられ、前記シリンダ錠又はサムターンの操作により前記錠箱９より進出した際に、前記ガードアーム６の環状先端部６ａに掛かるガードボルト２７と、
を具備するとともに、
前記シリンダ錠又はサムターンに連結されて前記錠箱９内にて回動自在とされ、回転中心から半径方向外側に突出するバネ摺接部１３ａとガードボルト係合部１３ｂとデッドボルト係合部１３ｃとを有した軸部１３を具備し、
該軸部１３は、前記バネ摺接部１３ａによって、３つの位置に回転位置を停止され、前記ガードボルト係合部１３ｂとデッドボルト係合部１３ｃの各回転位置を３つのポジションａ，ｂ，ｃとし、
ポジションａの解錠状態では、前記デッドボルト係合部１３ｃが前記デッドボルト３５の突出を規制するとともに、前記ガードボルト係合部１３ｂが前記ガードボルト２７の突出を規制し、
ポジションｂのガード状態では、前記ガードボルト係合部１３ｂが前記ガードボルト２７のみを突出させ、前記ガードアーム６の環状先端部６ａへ進入させ係合させて、前記扉７５の開放角度を規制し、
ポジションｃの施錠状態では、前記デッドボルト係合部１３ｃが前記デッドボルト３５を進出させ、該デッドボルト３５を前記ストライク４の受穴４５に進入させるとともに、前記カマデッド４７を揺動して突出させ、前記受穴４５の周囲における裏側面に掛止させ、同時に前記ガードボルト係合部１３ｂが前記ロッド６の基部を押圧し、該ロッド６を進出させて前記扉枠に係止して本締とすることを特徴とする。
【０００７】
この施錠装置１では、シリンダ錠又はサムターンが回転操作され、デッドボルト３５が突出すると、同時にロッド７の先端が扉の上端面又は下端面から突出され、このロッド７の先端が扉枠に係合して、デッドボルト３５による本締めと、ロッド７による扉枠へのロックとが同時になされることになる。すなわち、簡単な構造で二重の施錠状態となって防犯性が向上する。また、ロッド７は、シリンダ錠又はサムターンの回転により操作されるため、他の構造の補助錠等が不要となる。
【０００８】
また、この施錠装置１は、ガードボルト２７のみを軸部１３によって進出させることが可能となっており、進出したガードボルト２７がガードアーム６の環状先端部６ａに進入して掛かることで、扉７５の開放角度を規制し、このことから、来訪者の確認等を安全に行うことができる。
また、この施錠装置１の軸部１３によって、解錠状態，ガード状態，施錠状態の３つの状態を３つのポジションａ，ｂ，ｃで選択操作でき、各状態を得るガードボルト２７、デッドボルト３５、カマデッド４７、ロッド７のそれぞれが、一か所の軸部１３で操作でき、操作性を高められる。
【０００９】
さらに、この施錠装置１では、デッドボルト３５の突出に伴ってカマデッド４７が揺動され、デッドボルト３５の受穴４５への進入に加えて、カマデッド４７の鉤状先端部４７ｂが受穴４５の裏側面にも掛止するようになる。これにより、単にデッドボルト３５が受穴４５に進入する施錠では防ぐことのできなかったストライク４とデッドボルト３５の離反方向の破壊による不正な施錠解除が防止可能になる。
【００１０】
請求項２に係る施錠装置１は、前記ロッド７が、
本体５５と、前記基部５３との別体で形成され、
該本体５５と該基部５３とは、軸線回りの所定の相対回転角度で軸線方向の離反が規制される係合手段８１により連結され、
該係合手段８１を介して連結された前記本体５５の軸線回りの回転を規制する回転規制部材８３が前記扉７５に着脱自在に設けられたことを特徴とする。
【００１１】
この施錠装置１では、回転規制部材８３の未装着状態でロッド７を基部５３に連結した後、回転規制部材８３を扉７５に装着するこで、ロッド７が基部５３に対して所定の相対回転角度となった状態で回転規制され、これにより、基部５３からの本体５５の離反が係合手段８１によって規制され、本体５５が脱落不能に扉７５に取り付けられる。すなわち、ロッド７の容易な取り付け及び脱落防止が、係合手段８１と回転規制部材８３のみの簡単な構造で実現可能になる。
【００１２】
【発明の実施の形態】
以下、本発明に係る施錠装置の好適な実施の形態を図面を参照して詳細に説明する。
図１は本発明に係る施錠装置を、錠箱を切り欠いて示した側面図、図２は図１の施錠装置の分解斜視図、図３は錠箱の斜視図、図４は軸部の斜視図、図５は板バネ及び捩じりコイルバネの斜視図、図６はスライド板及びガードボルトの斜視図、図７はデッドボルト及びカマデッドの斜視図、図８は錠箱の一部と、扉枠に設けられたストライクとを表した側面図、図９は扉枠に設けられたガードアームの斜視図、図１０はロッドの分解斜視図、図１１はロッドの基部と本体との取り付け方法を（ａ）〜（ｃ）の手順で表した説明図である。
【００１３】
本実施形態による施錠装置１は、図示しない扉に取り付けられるカマ式ガードアーム錠３と、図示しない扉枠に取り付けられるストライク４（図８参照）と、このストライク４に基端部が回転自在に固定されるガードアーム６と、カマ式ガードアーム錠３に連動するロッド７とから大略構成される。
【００１４】
施錠装置１の主要構成部分であるカマ式ガードアーム錠３は、図３に示す錠箱９が例えば扉の端部に内蔵され、錠箱９に固定されたフロント板１１が扉の木口に露出して取り付けられる。
【００１５】
錠箱９には図３に示す軸穴１０が穿設され、軸穴１０は軸部１３の端部を支持している。この軸部１３には、屋外側にシリンダ錠の鍵穴が配置され、屋内側にはサムターンが配置されて連結され、これらシリンダ錠又はサムターンによる操作で回動自在となるように設けられている。
【００１６】
この軸部１３は回転中心から半径方向外側へ突出する三つの突起部であるバネ摺接部１３ａ、ガードボルト係合部１３ｂ、デッドボルト係合部１３ｃを有している。
【００１７】
バネ摺接部１３ａは、軸部１３の軸線に対して直交する方向に先端が突出する略三角形状に形成されており、錠箱９内に設けられた図５に示す凹部１５ａを有する板バネ１５に接触して配置される。
【００１８】
バネ摺接部１３ａは、軸部２９が正逆回転されることにより、板バネ１５及び捩じりコイルバネ１７から付勢力を受けながら、凹部１５ａに嵌入する位置（ポジションｂ）と、この凹部１５ａを挟む左右の位置（ポジションａ、ポジションｃ）の合計３つの位置（ポジションａ、ｂ、ｃ）に配置されるようになっている。
【００１９】
ガードボルト係合部１３ｂの基部には曲溝状のピン係合部１３ｄが形成され、ピン係合部１３ｄは軸部１３が図１の時計回りで回転され、バネ摺接部１３ａがポジションｃに達した時に、錠箱９内に突設された一対のピン１９ａ、１９ｂのうち、一方の１９ａに係合して、軸部１３のそれ以上の回転を規制する。
【００２０】
ガードボルト係合部１３ｂは、錠箱９内に設けられた図６に示すスライド板２１に摺接する。
このスライド板２１は、錠箱９に固設された支持ピン２３に、スライド板２１の板面に設けられている長穴２５が係合され、さらに錠箱９に穿設された図３に示す長穴２８に図１に示す固定ピン３０、３０が係合されることで、図１中左右方向にスライド自在となって取り付けられる。
【００２１】
スライド板２１には図６に示すガードボルト２７が固定されている。また、スライド板２１には、ガードボルト係合部１３ｂに摺接する曲面部２９と、このガードボルト係合部１３ｂが嵌入する凹部３１が形成されている。
【００２２】
スライド板２１は、軸部１３がポジションｃに回転されると、ガードボルト係合部１３ｂによって曲面部２９が押圧されて、図１中左側にスライドされる。
また、スライド板２１は、軸部１３がポジションａに回転されると、ガードボルト係合部１３ｂと凹部３１とが係合して図１中右側にスライドされる。
【００２３】
ガードボルト２７は、スライド板２１が図１の左側にスライドされると、図３に示したフロント板１１のガードボルト穴３３から外部へ突出されるようになっている。
ガードボルト２７は、軸部１３がポジションｂに配置されても、ガードボルト係合部１３ｂが曲面部２９に接触したままの状態を維持し、フロント板１１から突出されたままとなる。
【００２４】
一方、軸部１３がポジションａに配置されると、ガードボルト係合部１３ｂが凹部３１を介して、スライド板２１を図１中右側にスライドするので、ガードボルト２７は錠箱９内へ後退することになる。
つまり、軸部１３は、回転操作されることでフロント板１１からガードボルト２７を出し入れ可能にしている。
【００２５】
デッドボルト係合部１３ｃは、先端が、錠箱９内に設けられた図７に示すデッドボルト３５の凹部３５ａに当接される。デッドボルト３５は、自身に固設された図１に示す支持ピン３５ｂを、錠箱９に穿設された図２に示す長穴３７に挿入することで、図１中左右方向にスライド自在になっている。
【００２６】
また、錠箱９内には図７に示すバネ３９の一端３９ａが固定され、バネ３９は他端３９ｂがデッドボルト３５の支持ピン３５ｂに固定されている。バネ３９は、デッドボルト３５に付勢力を付与し、デッドボルト３５を図１中左側である錠箱９から突出させる方向に付勢している。
【００２７】
このデッドボルト３５は、軸部１３のバネ摺接部１３ａがポジションａ及びｂの時、凹部３５ａ及び凸部３５ｃと、デッドボルト係合部１３ｃとが干渉状態となり、バネ３９の付勢力に抗して、図１中右側に配置される。
【００２８】
一方、軸部１３がポジションｃに配置されると、時計回りに回転するデッドボルト係合部１３ｃが凹部３５ａを押圧するとともに、バネ３９の付勢力によって、デッドボルト３５が図１中左側へスライドされる。
デッドボルト３５は、この状態で、フロント板１１に穿設された図３に示すデッドボルト穴４１から先端を突出させる。
つまり、デッドボルト３５は、ガードボルト２７が突出した後に、軸部１３がさらに同方向に回転操作されることでフロント板１１から突出されるようになっている。
【００２９】
扉の木口に対向する扉枠には、ガードボルト２７が進入する図８に示す切欠４３及びデッドボルト３５が進入する受穴４５を有したストライク４が設けられている。
このストライク４には、全長が伸縮自在に構成され、かつ、伸長状態の長さが所定の長さに設定されたガードアーム６の基端部が上方に位置し吊下状態となって回転自在に軸支されている。
【００３０】
ガードアーム６の下端となる先端には、図９に示す環状先端部６ａが設けられ、環状先端部６ａは切欠４３に配置される。ガードアーム６は、付勢手段としての引張コイルばねなどが内蔵されて常に伸長しないように構成されているのが好ましい。
【００３１】
この環状先端部６ａには、ガードボルト２７先端の図６に示す括れ部２７ａが挿入されるようになっている。
環状先端部６ａに挿通されて切欠４３に進入したガードボルト２７は、扉の開動に伴って切欠４３の側面開口部から脱出可能になっている。
【００３２】
このガードボルト２７は、扉閉鎖時に、軸部１３が回転操作されて、フロント板１１から突出すると、括れ部２７ａが環状先端部６ａを貫通して切欠４３に進入する。
この状態で、扉が開放されると、環状先端部６ａに括れ部２７ａが掛止した状態になり、ガードアーム６は基端部を中心に回転しながら伸長する。
【００３３】
ガードアーム６が伸長限度に達すると、扉がガードアーム６を介して扉枠側に固定される。
これにより、扉の開放角度が規制され、来訪者の確認等を安全に行うことができるようになっている。
なお、本発明に係る施錠装置１は、上記したガードアーム６及びガードボルト２７を設けない構成としても勿論よい。
【００３４】
錠箱９内には、図７に示す略Ｌ字形状のカマデッド４７が、図１に示す支持軸４９を回動中心に揺動自在に固定されている。
カマデッド４７には中途に長穴４７ａが穿設され、この長穴４７ａはデッドボルト３５の支持穴３５ｅに固設された図１に示す連結ピン５１に係合している。つまり、カマデッド４７は、デッドボルト３５の進退に従動して揺動自在となっている。
【００３５】
そして、カマデッド４７は、デッドボルト３５の突出に伴って揺動し、鉤状先端部４７ｂがフロント板１１より進出し、ストライク４に穿設された受穴４５の周囲におけるストライク４の裏側面に掛止するようになっている。
【００３６】
なお、本実施の形態では、図７に示すように、デッドボルト３５の先端が、上方及び先端縁が開口した略コ字状に形成され、この先端部分の中空部分にカマデッド４７が位置するよう構成され、また、このカマデッド４７は、やや厚みのある板材より構成される。
【００３７】
ロッド７は、図１０に示すように、錠箱９に内蔵される基部５３と、本体５５とからなる。基部５３の下端には水平方向の摺動軸５７が突設され、摺動軸５７は錠箱９の側面に穿設された上下方向に長い図３に示す長穴５９に係合される。基部５３は、摺動軸５７が長穴５９に沿って移動することで、錠箱９内で上下動可能になっている。
なお、摺動軸５７の一端は、デッドボルト３５に穿設された傾斜溝３５ｄを貫通して（図７参照）、錠箱９に穿設された反対側の長穴５９に係合されるようになっている。
【００３８】
基部５３の上下方向略中間部には下向きの押上面６１が形成され、押上面６１は所定の角度で回転されたガードボルト係合部１３ｂに下方より押圧されるようになっている。
すなわち、基部５３は、押上面６１がガードボルト係合部１３ｂに押圧されることで、錠箱９内を上方へ移動されるようになっている。
【００３９】
基部５３の上端には上面の開口した筒部６３が立設されている。筒部６３は略円筒形状に形成され、この筒部６３には上端から軸線方向下方へ切り込まれた挿入溝６５が形成され、挿入溝６５の下端はさらに筒部６３の円周方向に切り込まれた係合溝６７に連続している。
この筒部６３は、錠箱９の上端面に穿設された図３に示す貫通穴６９を介して、錠箱９から進退自在となる。貫通穴６９の内周にはグロメット７１が装着され、グロメット７１は筒部６３の摺動をスムースにしている。なお、グロメット７１は、図３に示すグロメット押さえ板７２によって挟持され、貫通穴６９に確実に保持されるようになっている。
【００４０】
一方、ロッド７の本体５５は、棒状に形成され、少なくとも下端が筒部６３に挿入可能となっている。また、本体５５は、錠箱９と、扉の上端面との間の距離と略同一の長さを有して、扉の内部に内蔵される。本体５５の上端にはロッド７の先端であるロック杆７３が装着され、ロック杆７３は図１１に示す扉７５の上端面に形成された突出穴７７に配置される。
【００４１】
本体５５の下端には軸芯に直交方向の係合ピン７９が挿着され、係合ピン７９は筒部６３の挿入溝６５に挿入可能となっている。この係合ピン７９と、上述の挿入溝６５及び係合溝６７とは、係合手段８１を構成している。また、ロック杆７３の側面には一対の平坦面７３ａが形成される。
【００４２】
扉７５の上端には突出穴７７に一致して板状の回転規制部材８３が着脱自在に取り付けられ、回転規制部材８３はロック杆７３の軸線直交方向の断面形状と一致した挿通穴８３ａを有し、この挿通穴８３ａに対してロック杆７３が回転不可能になっている。
【００４３】
ここで、本体５５の扉７５への取り付け手順を説明する。
ロッド７の本体５５を扉７５に取り付けるには、図１１（ａ）に示すように、突出穴７７から本体５５の下端を差し入れる。この際、本体５５の下端には係合ピン７９を予め挿着しておく。
【００４４】
次いで、図１１（ｂ）に示すように、係合ピン７９を挿入溝６５に挿入しながら、本体５５の下端を筒部６３に挿入する。係合ピン７９が挿入溝６５の下端に達したなら、本体５５を軸線回りに回転する。
これにより、挿入溝６５に配置された係合ピン７９が、係合溝６７へと進入し、筒部６３、すなわち、基部５３からの本体５５の抜脱が規制される。
【００４５】
この状態で、図１１（ｃ）に示すように、扉７５の上端に回転規制部材８３を取り付ける。回転規制部材８３が取り付けられることで、ロック杆７３が回転規制部材８３の挿通穴８３ａに挿入され、本体５５の軸線回りの回動が規制される。
すなわち、これにより、係合ピン７９が係合溝６７から離脱しなくなり、基部５３と本体５５との抜けが確実に不能となって、ロッド７が扉７５に取り付けられることになる。
【００４６】
なお、本実施の形態では、ロッド７が扉７５の上端から突出する場合を例に説明するが、ロッド７は扉７５の下端から突出するように、或いは扉の上下端の両方から突出するように設けられるものであってもよい。
【００４７】
次に、上記のように構成された施錠装置１の作用を説明する。
図１２は本発明に係る施錠装置の解錠状態を示した側面図、図１３は本発明に係る施錠装置のガード状態を示した側面図、図１４は本発明に係る施錠装置の施錠状態を示した側面図である。
【００４８】
扉７５が閉鎖されかつ施錠装置１が解錠されている状態（図１２の状態）では、デッドボルト係合部１３ｃがデッドボルト３５の凸部３５ｃに当接し、デッドボルト３５の突出を規制している。
また、ガードボルト係合部１３ｂがスライド板２１の凹部３１と係合し、ガードボルト２７の突出を規制している。
【００４９】
図１２の状態において、軸部１３が図中時計回り方向に回転（本実施の形態では４５°回転）され、図１３に示すように、軸部１３のバネ摺接部１３ａがポジションｂになると、軸部１３のガードボルト係合部１３ｂが、曲面部２９を押圧して、スライド板２１が押圧されて、ガードボルト２７がフロント板１１から突出される。
【００５０】
ガードボルト２７が突出すると、ガードボルト２７の先端が図８に示す環状先端部６ａを貫通して切欠４３に進入する。
この状態で、扉が開放されると、環状先端部６ａにガードボルト２７の括れ部２７ａが掛止した状態になり、ガードアーム６は上方の基端部を中心に揺動しながら伸長する。ガードアーム６が伸長限度に達すると、扉７５がガードアーム６を介して扉枠側に固定される。
これにより、扉７５の開放角度が規制される。
【００５１】
このガードボルト２７が突出した状態で、扉７５が閉められ、軸部１３がさらに図中時計回り方向に回転（本実施の形態ではさらに４５°回転）されて、図１４に示すように、バネ摺接部１３ａがポジションｃになると、軸部１３のデッドボルト係合部１３ｃが、デッドボルト３５の凹部３５ａを押圧し、デッドボルト３５をフロント板１１から突出させる。フロント板１１から突出したデッドボルト３５は、先端が図８に示すストライク４の受穴４５に進入し施錠装置１を本締状態とする。
【００５２】
この際、同時にカマデッド４７がデッドボルト３５の突出に伴って揺動し、デッドボルト穴４１から円弧状の軌跡を描いて突出することになる。
これにより、カマデッド４７は、鉤状先端部４７ｂが図８に示す受穴４５の周囲におけるストライク４の裏側面に掛止する。
【００５３】
さらに、この際同時に、ガードボルト係合部１３ｂが、ロッド７の基部５３の押上面６１を上方向へ押圧する。これにより、ロッド７は、本体５５の上端に設けた図１１に示すロック杆７３が、突出穴７７から突出され、図示しない扉枠の係止穴などに係合する。
【００５４】
この状態で、ロッド７の基部５３は、押上面６１がガードボルト係合部１３ｂに当接して、下降が規制される。また、デッドボルト３５は、バネ３９によってフロント板１１から突出方向に付勢されるとともに、デッドボルト係合部１３ｃが凹部３５ａに当接して後退が規制される。また、ガードボルト２７は、スライド板２１の曲面部２９がガードボルト係合部１３ｂに当接されることで、後退が規制される。
【００５５】
なお、上述と逆の動作でポジションｃの位置の軸部１３が、ポジションｂ、ポジションａの順で回転操作されれば、先ず、デッドボルト３５とカマデッド４７とが後退されるとともに、ロッド７が下降され、次いでガードボルト２７が後退されて、再び、図１２に示した状態となり、解錠状態となる。
【００５６】
このように、上述の施錠装置１によれば、一つの軸部１３を、先ず、所定回転角度回転操作すると、最初に、ガードボルト２７が突出される。
これにより、伸縮自在に構成されたガードアーム６に、ガードボルト２７の先端が掛止し、扉の開放角度が規制される。
【００５７】
また、本締の際には、扉７５を閉鎖状態として、ガードボルト２７が突出された状態からさらに軸部１３を同方向に回転操作することで、デッドボルト３５及びカマデッド４７が突出され、ストライク４の受穴４５に進入するとともに、ロッド７が扉７５の上端面から突出して扉枠と係止して本締状態となる。
【００５８】
従って、デッドボルト３５の突出に伴ってカマデッド４７が揺動され、デッドボルト３５の受穴４５への進入に加えて、カマデッド４７の鉤状先端部４７ｂが受穴４５の裏側面にも掛止するので、単にデッドボルト３５が受穴４５に進入する施錠では防ぐことのできなかったストライク４とデッドボルト３５の離反方向の破壊による施錠解除も防止することができる。
【００５９】
また、デッドボルト３５とカマデッド４７による係止に加えて、ロッド７を扉７５の上端面から突出して扉枠にロックできるので、別途の補助錠を設けずに、複数箇所でのロックを可能にすることができ、施錠信頼性をさらに向上させることができる。
【００６０】
そして、ガードボルト２７、デッドボルト３５、カマデッド４７、ロッド７のそれぞれが一か所の軸部１３によって操作できるので、施解錠の操作性も高めることができる。
【００６１】
【発明の効果】
以上詳細に説明したように、本発明に係る施錠装置によれば、シリンダ錠又はサムターンの回転操作で連動して先端が扉の上端面又は下端面から進退されるロッドを設けたので、デッドボルトによる本締めと同時に、ロッドの先端を扉枠に係合させてロックが行え、防犯性を向上させることができる効果がある。
【００６２】
また、シリンダ錠又はサムターンにてデッドボルトによる施錠と、ロッドによるロックとが同時に行えるので、他の構成の補助錠などが不要となり、これにより施錠装置を安価に構成できるとともに、施解錠の操作性も向上させることができる。
さらに、この施錠装置は、ガードボルトのみを軸部によって進出させることが可能となっており、進出したガードボルトがガードアームの環状先端部に進入して掛かることで、扉の開放角度を規制し、このことから、来訪者の確認等を安全に行うことができる。
また、この施錠装置の軸部によって、解錠状態，ガード状態，施錠状態の３つの状態を３つのポジションａ，ｂ，ｃで選択操作でき、各状態を得るガードボルト、デッドボルト、カマデッド、ロッドのそれぞれが、一か所の軸部で操作でき、操作性を高められる。
【００６３】
さらに、デッドボルトの突出に伴って鉤状先端部が受穴の周囲におけるストライクの裏側面に掛止するカマデッドを設けたので、デッドボルトのみによる施錠では防ぐことのできなかった、ストライクとデッドボルトの離反方向の破壊による不正な施錠解除も防止することができるようになり、施錠装置の施錠信頼性をより高めることができる。
【００６４】
そして、ロッドは、本体と基部とを別体で形成し、この本体と基部とを所定の相対回転角度で離反が規制される係合手段により連結し、この本体の回転を規制する回転規制部材を扉に着脱自在に設けたので、回転規制部材の未装着状態でロッドを基部に連結した後、回転規制部材を扉に装着するこで、ロッドを脱落不能に扉に取り付けることができ、ロッドの容易な取り付け及び脱落防止を簡単な構造で実現することができる。
【図面の簡単な説明】
【図１】本発明に係る施錠装置を、錠箱を切り欠いて示した側面図である。
【図２】図１の施錠装置の分解斜視図である。
【図３】錠箱の斜視図である。
【図４】軸部の斜視図である。
【図５】板バネ及び捩じりコイルバネの斜視図である。
【図６】スライド板及びガードボルトの斜視図である。
【図７】デッドボルト及びカマデッドの斜視図である。
【図８】錠箱の一部と、扉枠に設けられたストライクとを表した側面図である。
【図９】扉枠に設けられたガードアームの斜視図である。
【図１０】ロッドの分解斜視図である。
【図１１】ロッドの基部と本体との取り付け方法を（ａ）〜（ｃ）の手順で表した説明図である。
【図１２】本発明に係る施錠装置の解錠状態を示した側面図である。
【図１３】本発明に係る施錠装置のガード状態を示した側面図である。
【図１４】本発明に係る施錠装置の施錠状態を示した側面図である。
【符号の説明】
１…施錠装置
４…ストライク
７…ロッド
９…錠箱
１１…フロント板
３５…デッドボルト
４５…受穴
４７…カマデッド
４７ｂ…鉤状先端部
５３…基部
５５…本体
７３…ロック杆（先端）
７５…扉
８１…係合手段
８３…回転規制部材
【図１】
0004181704.tif 000002
【図２】
0004181704.tif 000003
【図３】
0004181704.tif 000004
【図４】
0004181704.tif 000005
【図５】
0004181704.tif 000006
【図６】
0004181704.tif 000007
【図７】
0004181704.tif 000008
【図８】
0004181704.tif 000009
【図９】
0004181704.tif 000010
【図１０】
0004181704.tif 000011
【図１１】
0004181704.tif 000012
【図１２】
0004181704.tif 000013
【図１３】
0004181704.tif 000014
【図１４】
0004181704.tif 000015